(57)【要約】【課題】スライド丸鋸の切断角度の設定を、指金で測った切断予定線の勾配をそのまま使って（角度に換算することなく）行なうことができるようにする。【解決手段】本体台座（１）と横振れ台座（２）を回転軸（５）によって、横振れ台座（２）と立ち上がり台座（３）を丁番（４）によって接続した構造であって、切断予定面と同じ角軸度を持つ三次元平面を、垂直方向及び水平方向の首振り運動をする立ち上がり台座（３）の先端断面に再現する仕組みの治具を作成する。再現する場合の角度調整は、切断予定線の勾配を基にした平勾配及び反し勾配を使い、指金を当てて行なう。再現した三次元平面の鋸刃への移し替えは、治具の本体台座（１）がスライド丸鋸のターンテーブルとガイドフェンスに均等に接し、かつ、鋸刃接触磁石ピン（１１）３個が鋸刃と均等に接するようにスライド丸鋸とこの治具の位置関係及び鋸刃の傾きを調整する方法で行なう。【選択図】図４
0003158149.tif 000002
【実用新案登録請求の範囲】
【請求項１】
角材の切断予定面と同じ角軸度を持つ三次元平面を、直交する２本の回転軸によって垂直方向及び水平方向の首振り動作をする直方体の先端断面に再現する仕組みを持ち、しかも、再現するための角度調整を、指金で測った切断予定線の勾配を使って行うことができる仕組みを持つところのスライド丸鋸の切断角度設定のための治具
【請求項２】
請求項１の治具に、スライド丸鋸のターンテーブル及びガイドフェンスと正確な位置関係を保つための位置調整機能付きの台座と、直方体先端断面に再現された三次元平面をスライド丸鋸の鋸刃に移し替えるための３個の磁石ピンを取り付けたところのスライド丸鋸の切断角度設定のための治具
【考案の詳細な説明】
【技術分野】
【０００１】
この考案は、指金で測った切断予定線の勾配をそのまま使ってスライド丸鋸の切断角度を設定するための治具に関する。
【背景技術】
【０００２】
直角三角形ａｂｃにおいて、底辺ｂｃを基準にした場合の斜辺ａｂの傾きを表す方法としては、斜辺ａｂと底辺ｂｃの内角（角度）を用いる方法のほかに、規矩述の勾配（垂線ａｃの寸法／底辺ｂｃの寸法）を用いる方法があるが、現在市販されているスライド丸鋸のほとんどは、角度表示の目盛りを使って切断角度を設定する仕組みを基本にしているため、９０度、６０度、４５度のような特定の角度である場合を除き、指金で測った勾配は、なんらかの方法で角度に換算しなければならない。
【０００３】
図６の直角三角形ＩＢＪにおいて、線ＩＪを基準にした場合の斜線ＩＢの傾きを勾配で表すと「ＢＪの寸法／ＩＪの寸法」になる。また、これと同一の傾きを持つ斜線を、線ＧＢを基準線にして点Ｇの位置に描く場合、まず、指金の一方の腕に線ＩＪと同一の寸法を、もう一つの腕に線ＢＪと同一の寸法をそれぞれとり、次に、斜線ＩＢを基準線ＧＢ上に置き換えたうえで、指金上のＩＪ及びＢＪと同一の寸法をそれぞれ線ＧＫ及び線ＬＫのようにとるという方法で指金を当てることによって、目的とするＧＫの墨線を引くことになる。
【０００４】
このようにして引いた斜線ＧＫは平勾配、斜線ＬＫは反し勾配と呼ばれ、この場合、斜線ＫＬは、斜線ＩＢに平行する仮の線であるが、線ＧＦに直交するように引いた線ＧＨは、斜線ＩＢに平行する線を点Ｇの位置に再現した実線であり、このことは、線ＧＫ及び線ＩＢを延長して三角形ＧＦＢを描くと明確になる。
【先行技術文献】
【非特許文献】
【０００５】
【非特許文献１】中原靖夫著「実用図解  大工さしがね術」理工学社  ２００１.１．１５.第２版第３０刷発行
【考案の概要】
【考案が解決しようとする課題】
【０００６】
図６において、上記に引き続き長方形ＥＦＧＨを描き、長方形ＡＢＣＤが角材の側面（又は上面）であって斜線ＩＢが切断予定線を示すものと、また、長方形ＥＦＧＨがスライド丸鋸の切断角度を設定するための治具に相当する直方体の側面（又は上面）であって、線ＧＨが鋸刃に対面させるための基準線であると仮定すると、角材の幅（線ＩＪ）を基準とする切断予定線の勾配（ＢＪ／ＩＪ）を指金で測り、その平勾配・反し勾配を用いて直方体の傾きを調整することにすれば、切断予定線と同じ傾きを持つ断面（鋸刃の傾きを設定するための基準面）を任意の位置に再現することができることになる。そこで、上記のことを応用することにより、指金で測った勾配をそのまま使い、しかも、わかりやすい単純な操作によってスライド丸鋸の切断角度設定を補助する治具を作成することにする。なお、実務において斜線ＩＢの勾配を指金で測る場合、線ＩＢから点Ｊに引いた垂線を用いて、線ＩＪを基準線、線ＩＪの点Ｉから垂線の基点までを平勾配、垂線を反し勾配として測ることが一般的であるが、結果としては同じであるため、この考案は、線ＩＪに対する線ＢＪの寸法の比を用いる方法で組み立てることにする。
【課題を解決するための手段】
【０００７】
角材の切断予定面と同じ角軸度を持つ三次元平面を再現するためには、側面及び上面の２本の切断予定線に関する勾配を必要とする。このため、課題を解決するための治具は、図１、図２及び図３に示すとおり、本体台座（１）、横振れ台座（２）及び立ち上がり台座（３）を主要部品として構成することにし、かつ、横振れ台座（２）と立ち上がり台座（３）は丁番（４）によって、本体台座（１）と横振れ台座（２）は回転軸（５）によってそれぞれ接続して重ねる構造にする。
【０００８】
図４に示すように、立ち上がり台座（３）が丁番（４）を回転軸として垂直方向の首振り動作をすることに伴い、立ち上がり台座（３）が立ち上がることに伴う回転角の変化は、立ち上がり台座（３）の底面と横振れ台座（２）の上面の開きとして現れる。このため、横振れ台座上面の線を基準線（図６の線ＧＢに相当するもの）としてこの位置に指金を当てることにする。具体的には、丁番（４）の軸の位置を基準として（図６では、点Ｉを点Ｇにとって）、立ち上がり台座底面が平勾配になるように指金を当てながら立ち上がり台座（３）の傾きを変化させ、立ち上がり台座底面から横振れ台座上面に向かう直交線の寸法が反し勾配の寸法と一致した（図６では、線ＧＫの寸法が線ＩＪと一致し、かつ、線ＬＫの寸法が線ＢＪと一致した）ところで、立ち上がり台座（３）の動きを止めることにする。
【０００９】
立ち上がり台座（３）の立ち上がり位置を固定するため、立ち上がり台座支持板（６）を設ける。立ち上がり台座支持板（６）は、首振り動作をすることができるようにするための軸を介して横振れ台座（２）の上面に固定する。立ち上がり台座（３）側は、固定ネジＡ（７）を介して自在にスライドすることができるようにし、固定ネジＡ（７）を回して動きを止める仕組みにする。
【００１０】
図５に示すように、横振れ台座（２）が回転軸（５）を中心として、立ち上がり台座（３）と一体的に水平方向の首振り動作をすることに伴い、横振れ台座（２）が横振れすることに伴う回転角の変化は、横振れ台座（２）の側面と本体台座（１）の側面の開きとして現れる。このため、本体台座側面の線を基準線（図６の線ＧＢに相当するもの）としてこの位置に指金を当てることにする。具体的には、本体台座側面と横振れ台座側面の交点を基準として（図６では、点Ｉを点Ｇにとって）、横振れ台座側面が平勾配になるように指金を当てながら横振れ台座（２）の回転角を変化させ、横振れ台座側面から本体台座側面に向かう直交線の寸法が反し勾配の寸法と一致した（図６では、線ＧＫの寸法が線ＩＪと一致し、かつ、線ＬＫの寸法が線ＢＪと一致した）ところで、横振れ台座（２）の動きを止めることにする。
【００１１】
横振れ台座（２）の横振れ位置を固定するため、横振れ台座支持板（８）を設ける。横振れ台座支持板（８）は、首振り動作ができるようにするための軸を介して横振れ台座（２）の後端上面に固定する。本体台座（１）側は、本体台座上段（９）に取り付けた固定ネジＢ（１０）を介して自在にスライドすることができるようにし、固定ネジＢ（１０）を回して動きを止める仕組みにする。  
【００１２】
以上の仕組みによって横振れ台座（２）及び立ち上がり台座（３）の角度設定を終えたところで、立ち上がり台座（３）の先端断面は、角材の切断予定面と同じ軸角度の三次元平面を再現した状態になる。そこで、この治具を本体台座（１）の底面がスライド丸鋸のターンテーブルに、側面がスライド丸鋸のガイドフェンスにそれぞれ均等に接するように置き、図４又は図５に示すように、立ち上がり台座（３）の先端断面に取り付けた鋸刃接触磁石ピン（１１）がスライド丸鋸の鋸刃（１４）と均等に接するように位置の調整及び鋸刃の切断角度を変化させることによって、再現された三次元平面をスライド丸鋸の鋸刃に移し替えることにする。
【００１３】
鋸刃接触磁石ピン（１１）は、切断角度の設定を行いやすくするため、図３に示すように、３個を鋸刃下部の半円に対応させて逆三角形の配置で取り付ける。なお、多くのスライド丸鋸が鋸刃を左側に傾けて使うことを基本にしていることに対し、この治具は、立ち上がり台座（３）の先端断面が下向きになる仕組みであるため、もっぱらスライド丸鋸の右側から鋸刃に近づけて使うことになる。
【００１４】
３個の鋸刃接触磁石ピン（１１）は、鋸刃と接触させながらの調整を行いやすくするため、磁石製とする。このことにより、特に、あらかじめスライド丸鋸の切断角度を目検討でおおまかに設定し、その後にこの治具を用いて細かな角度調整を行う方法に対応できるようにする。つまり、大まかに角度を設定したスライド丸鋸にこの治具を近づけ、治具を手に持ったまま鋸刃接触磁石ピン（１１）３個を鋸刃の側面に引っ付ける。さらに、その状態のまま、本体台座（１）がスライド丸鋸のターンテーブルに着地するところまでスライド丸鋸の傾きを変化させる。引き続き、本体台座（１）の側面がガイドフェンスに接するところまでスライド丸鋸のターンテーブルを回転させ、均等に接したところでスライド丸鋸の傾きを固定する。
【００１５】
スライド丸鋸の切断角度を固定した後、この治具と入れ替えに角材をスライド丸鋸に置き、角材の切断予定線と鋸刃の位置を合わせて切断する。
【００１６】
本体台座（１）には、使用するスライド丸鋸の大きさに応じて本体台座（１）の高さを調整するための底面補助板（１２）と、スライド丸鋸のガイドフェンスとの間隔を調整するための側面補助板（１３）を設け、いずれもスライド式の接続棒を介して本体台座（１）に取り付け、ネジによって任意の位置に固定することができるようにする。
【考案の効果】
【００１７】
この治具は、指金で測った切断予定線の勾配をそのまま使って（角度に換算することなく）、しかも、わかりやすい単純な操作によってスライド丸鋸の切断角度を正確に設定することを可能にする。この結果、スライド丸鋸を使った作業の効率性、迅速性を大幅に高めることができる。
【図面の簡単な説明】
【００１８】
【図１】この考案による治具の側面図である。
【図２】この考案による治具の平面図である。
【図３】この考案による治具の正面図である。
【図４】立ち上がり台座（３）に、角材側面の切断予定線の勾配を設定した状態を示す側面図である。
【図５】横振れ台座（２）に、角材上面の切断予定線の勾配を設定した状態を示す平面図である。
【図６】規矩述の内容を再確認するための図である。
【産業上の利用可能性】
【００１９】
この考案による治具は、家具、建具等の木工製品製造や木造建築のように、スライド丸鋸を使って角材や柱材等を加工することが多い分野において、専ら大工等の技能者が使うものである。
【符号の説明】
【００２０】
１  本体台座
２  横振れ台座
３  立ち上がり台座
４  丁番
５  回転軸
６  立ち上がり台座支持板
７  固定ネジＡ
８  横振れ台座支持板
９  本体台座上段
１０  固定ネジＢ
１１  鋸刃接触磁石ピン
１２  底面補助板
１３  側面補助板
１４  スライド丸鋸の鋸刃
【図１】
0003158149.tif 000003
【図２】
0003158149.tif 000004
【図３】
0003158149.tif 000005
【図４】
0003158149.tif 000006
【図５】
0003158149.tif 000007
【図６】
0003158149.tif 000008